Podtech/llm-jp-corpus-v4-ja_patent huggingface dataset:
(57)【要約】      （修正有）【課題】電源を必要とせず容易に照明スイッチに取り付けでき、電気的な工事は不要で低コストですみ、タイマーを所定の時間にセットすれば、簡便に照明をＯＮＯＦＦすることが出来る照明スイッチを提供する。【解決手段】タイマー１と、タイマーからストッパー３に連結されている連動部４と、バネによりストッパーに係止されているクリップ状のレバー２と、レバーの押し部が既設の照明スイッチボタンの位置に対応している。ストッパーが作動してバネの弾性によりレバーのクッションが既設の照明のスイッチボタンを押すことによりＯＮＯＦＦすることが出来る。【選択図】図１
0003191067.tif 000002
【実用新案登録請求の範囲】
【請求項１】
タイマーと、
該タイマーからストッパーに連結されている連動部と、
前記ストッパーが係止しているレバーと、
該レバーの押し部が既設の照明スイッチボタンの位置に対応していることを特徴とする照明スイッチ。
【請求項２】
タイマーと、
該タイマーからストッパーに連結されている連動部と、
前記ストッパーが係止しているレバーと、
該レバーの押し部が既設の照明スイッチボタンの位置に対応し、前記タイマーと前記連動部と前記レバーとを備える枠の枠内に前記既設の照明スイッチが収まることを特徴とする照明スイッチ。
【請求項３】
前記タイマーは、電源を必要としない機械式のタイマーである請求項１又は２記載の照明スイッチ。
【請求項４】
全体として動物に似せた形状を有する請求項１乃至３のいずれか１項に記載の照明スイッチ。
【考案の詳細な説明】
【技術分野】
【０００１】
本考案は、照明スイッチであって、タイマーで所定の時間になると、特に電源等を必要とせず、既設の照明スイッチに対して機械的にＯＮ又はＯＦＦする照明スイッチに関する。
【背景技術】
【０００２】
従来より、景観を意識したスイッチプレートや、時計やタイマーと連動したスイッチタイマーは存在する。また、照明スイッチの消し忘れ防止のタイマー装置（例えば、特許文献１）がある。
【先行技術文献】
【特許文献】
【０００３】
【特許文献１】実用新案登録第３０６５３９４号公報
【考案の概要】
【考案が解決しようとする課題】
【０００４】
従来技術による時計やタイマーと連動した照明スイッチタイマーは、備え付けの自宅照明スイッチ（既設の照明スイッチ）を一度外さなければならず、工事の必要性があり、工事時間やコスト面での課題があった。また、電気的な電源を必要としなければならなかった。
【課題を解決するための手段】
【０００５】
上記課題を解決するために、本考案の或る態様に係る照明スイッチは、タイマーと、該タイマーからストッパーに連結されている連動部と、前記ストッパーが係止しているレバーと、該レバーの押し部が既設の照明スイッチボタンの位置に対応していることを特徴とする照明スイッチである。
また、タイマーと、該タイマーからストッパーに連結されている連動部と、前記ストッパーが係止しているレバーと、該レバーの押し部が既設の照明スイッチボタンの位置に対応し、前記タイマーと前記連動部と前記レバーとを備える枠の枠内に前記既設の照明スイッチが収まることを特徴とする照明スイッチである。
また、前記タイマーは、電源を必要としない機械式のタイマーであることを特徴とする照明スイッチである。また、全体として動物に似せた形状を有する照明スイッチである。
【考案の効果】
【０００６】
本考案は、電源を必要とせず、容易に既設の照明スイッチに取り付けることができるので、電気的な工事は不要で低コストですみ、タイマーを所定の時間にセットすれば、簡便に照明をＯＮＯＦＦすることが出来るという効果を奏します。
【図面の簡単な説明】
【０００７】
【図１】本考案の照明スイッチの全体図。
【図２】本考案の照明スイッチのレバー部の側面図。
【考案を実施するための形態】
【０００８】
本考案の実施の形態を図に示す。図１は、本考案の照明スイッチの全体を示している。タイマー１は、タイマー・ストッパー連動部４を介してストッパー３に連結している。ストッパー３は、レバー２を係止している。これらの構成は、すべて枠６に備えられている。また、枠６には、治具取り付け位置５に穴が開いている。治具取り付け位置５によって、既設の照明スイッチの周りにネジ等で取り付けることができる。
また、図２は、レバー２の側面を示している。レバーは、バネによって、ストッパーに係止されており、ストッパーが作動してバネの弾性によりレバーのクッションが既設の照明のスイッチボタンを押すことによりＯＮＯＦＦすることが出来る。その為に、予めレバーのクッション（押し部）が既設の照明スイッチボタンを押す場所（位置）に、枠の取り付け場所を調整する。
【０００９】
以上の図より明らかなように、本考案にはバネ式クリップ状の腕部分（レバー）が付いており、このレバーが照明スイッチの切り替え（ＯＮＯＦＦ）を行う。レバーにはあらかじめストッパーを取り付けておき、このストッパーがタイマーと連動しているため、設定時間経過後ストッパーが外れ、照明スイッチを押す仕組みになっている。設定時間は、短時間から長時間まで指定が可能である。
図１における照明スイッチの全体の形状は、特定の動物に似せた形状とすることで使用する際に親しみをもつことが出来る。
本考案は特別な工事なしに、専用または市販の治具を用いて、照明スイッチの周囲の壁面部分に設置することができる。
【符号の説明】
【００１０】
１．タイマー
２．レバー
３．ストッパー
４．連動部
５．治具取り付け位置
６．枠
７．バネ
【図１】
0003191067.tif 000003
【図２】
0003191067.tif 000004
(57)【要約】      （修正有）【課題】紙の下部が浮き上がり、紙が折れたり、丸まったりせず、嵩張らず、安全なクリップボードを提供する。【解決手段】紙９９をクリップするクリップボードであって、ボード１の一方に第１の紙固定クリップ部２と、他方に第２の紙固定クリップ部を備え、少なくとも第１の紙固定クリップ部と第２の紙固定クリップ部のいずれかに、ボード側に接着した磁性体３ａと対のマグネットシート３ｂを設けた。【選択図】図１
0003191066.tif 000002
【実用新案登録請求の範囲】
【請求項１】
紙をクリップするクリップボードであって、ボードの一方に第１の紙固定クリップ部と、他方に第２の紙固定クリップ部を備え、少なくとも前記第１の紙固定クリップ部と前記第２の紙固定クリップ部のいずれかに、マグネットシートを設けたことを特徴とするクリップボード。
【請求項２】
前記マグネットシートは、ボード側に接着したマグネットシートと、紙を上から押えるマグネットシートとで対を構成していることを特徴とする請求項１記載のクリップボード。
【請求項３】
前記ボード側に接着したマグネットシートと、前記紙を上から押えるマグネットシートは、同一のビニールシート製のケースで包括されていて、ケースを介して連結していることを特徴とする請求項２記載のクリップボード。
【請求項４】
前記ボード側に接着したマグネットシートと、前記紙を上から押えるマグネットシートは、蝶番を介して連結していることを特徴とする請求項２記載のクリップボード。
【考案の詳細な説明】
【技術分野】
【０００１】
本考案は、紙類を挟んで保持するためのクリップボード、用箋挟に関するもので、特に紙が浮き上がったり、折れたり、丸まったりする問題を解決するクリップボードに関する。
【背景技術】
【０００２】
従来のクリップボードは、ボードの上部のみに設けられた紙固定クリップ部で紙の上部を挟んで固定しているのが一般的であった。また、下部に紙固定クリップ部を施したものとして、弾性材料を使用して揺動アームを取り付けたものがある（特許文献１）。
【先行技術文献】
【特許文献】
【０００３】
【特許文献１】特開平１１−１５７２６９号公報
【考案の概要】
【考案が解決しようとする課題】
【０００４】
従来の技術では、ボード上部のみの紙固定クリップ部にて紙を挟んで固定した場合、紙の下方の角は固定されない為、使用している間に紙の下方の角が丸まったり、折れたりするという問題があった。
また、前記の特許文献１に記載の技術においては、下部紙固定クリップ部を持つものであるが、嵩張りが出てしまうという問題もあった。更に、搖動アームを使用している為に、指を挟んで怪我をするという危惧があった。
【課題を解決するための手段】
【０００５】
上記課題を解決するために、本考案の或る態様に係るクリップボードは、紙をクリップするクリップボードであって、ボードの一方に第１の紙固定クリップ部と、他方に第２の紙固定クリップ部を備え、少なくとも前記第１の紙固定クリップ部と前記第２の紙固定クリップ部のいずれかに、マグネットシートを設けたことを特徴とする。
また、前記マグネットシートは、ボード側に接着したマグネットシートと、紙を上から押えるマグネットシートとで対を構成していることが好ましい。
また、前記ボード側に接着したマグネットシートと、前記紙を上から押えるマグネットシートは、同一のビニールシート製のケースで包括されていて、ケースを介して連結していることが好ましい。
また、前記ボード側に接着したマグネットシートと、前記紙を上から押えるマグネットシートは、蝶番を介して連結していることが好ましい。
【考案の効果】
【０００６】
以上、説明したように本考案のクリップボードによれば、ボード上の紙を固定する紙固定クリップとして、マグネットシートを用いて、マグネットの吸着により紙を固定している。特に、クリップボードの下部領域で紙を固定する下部の紙固定クリップとして薄いマグネットシートを用いることで、使用時に嵩張らないので邪魔にならないので使用しやすい。また、また指を挟んで怪我をすることを抑制するのに極めて有効である。
【図面の簡単な説明】
【０００７】
【図１】本考案の第一実施例の上面図。
【図２】本考案の第二実施例の上面図。
【考案を実施するための形態】
【０００８】
以下、本考案の実施例を図に基づいて説明する。図１は本考案の第一実施例であり、ボード（１）に上部紙固定クリップ部（２）と、下部紙固定クリップ部としてマグネットシートによるボード側に接着した磁性体（３ａ）と、対のマグネットシート（３ｂ）とで構成され、これらは、同一のビニールシート製のケース（４）で包括されていて、ケースを介して連結している。
マグネットシート（３ｂ）は、ボード上で一直線上に配置してあれば、分割しているか、一体となっているかは問わない。尚、上部紙固定クリップ部は、従来のクリップ式であるが、上部にも下部同様のマグネットシートを用いても良い。
操作方法は、最初に上部紙固定クリップ部を操作して紙の上部を固定したあと、下部紙固定マグネットシート部（３）を操作して紙の下方の角も固定する。
【０００９】
図２は本考案の第二実施例であり、第一実施例の下部紙固定マグネットシート部（３）のマグネットシートの連結方法のみを蝶番（５）に変えたクリップボードである。
本考案におけるクリップボードは前述のような構成であり、ボード（１）の上部紙固定クリップ部（２）は、従来のクリップボードと同じく紙の上部を挟んで固定され、さらに、下部紙固定マグネットシート部（３）を施すことにより、紙の下方の角を挟んで固定する為、紙が丸まったり、折れたりすることを防止する。更に、マグネットはシート状なので使用時に邪魔にならず、また指を挟んで怪我をすることを抑制するのに極めて有効である。
【符号の説明】
【００１０】
１  ボード
２  上部紙固定クリップ部
３  下部紙固定マグネットシート部
３ａ  磁性体
３ｂ  マグネットシート
４  ビニールシート製のケース
５  蝶番
９９  紙
【図１】
0003191066.tif 000003
【図２】
0003191066.tif 000004
(57)【要約】      （修正有）【課題】魚肉のすり身をスライスし、海苔状にして、海苔巻の海苔の代わりに、魚肉のすり身を用いた巻き寿司を提供する。【解決手段】ロールされた穀物の表面にミンチされた魚肉２を巻いた巻き寿司１である。巻き寿司１は、魚肉のすり身２と、レタス等の具３と、肉魚等の具４と、米５とから構成される。巻き寿司１の形状は、竹などの巻き簀で巻くために、円筒ロール状であることが一般的であるが、形状が円筒ではなく、直方体、立方体であっても良い。ミンチされた魚肉２は、重曹を含み、ローラで伸ばされた後に、１００℃から２００℃の温度で約１０秒から３０秒間、油で揚げられている。【選択図】図１
0003191044.tif 000002
【実用新案登録請求の範囲】
【請求項１】
ロールされた穀物の表面にミンチされた魚肉を巻いたことを特徴とする巻き寿司。
【請求項２】
請求項１に記載の巻き寿司であって、前記ミンチされた魚肉は、重曹を含み、ローラで伸ばされた後に１００℃から２００℃のいずれかの温度で、１０秒から３０秒間程度、油で揚げられていることを特徴とする巻き寿司。
【考案の詳細な説明】
【技術分野】
【０００１】
本考案は、魚肉のすり身を用いた巻き寿司に関し、特に、海苔巻きの海苔の部分に魚のすり身を用いた巻き寿司に関する。
【背景技術】
【０００２】
従来より、巻き寿司は寿司の一種で、巻物、海苔巻きとも呼ばれている。一般に、巻き寿司の外側表面を巻く材料は海苔であるが、カリフォルニアロールのように、外側表面に海苔を巻かず、裏巻きと呼ばれるように海苔を内側に巻き込む巻き寿司も知られている。また、カリフォルニアロールは、海苔の代わりに胡麻や、とびこをまぶしているものも知られている（非特許文献１参照）。
【０００３】
一方、沿岸漁業で漁獲される魚のうち、エソやシイラ等の魚は、そのまま出荷されることは少なく、すり身に加工されることが多い。一般に、すり身は、ちくわ、魚肉ソーセージ、かまぼこ、はんぺん等の食品に加工される。すり身は、消費者が食べやすいという点と、鮮度保持に優れ、複数の種類の魚を混合できるという利点がある。
【先行技術文献】
【特許文献】
【０００４】
【非特許文献１】ウィキペディア、“カリフォルニアロール”，［online］，［平成２６年３月１４日検索］インターネット＜ｈｔｔｐ：／／ｊａ．ｗｉｋｉｐｅｄｉａ．ｏｒｇ／ｗｉｋｉ／カリフォルニアロール／
【考案の概要】
【考案が解決しようとする課題】
【０００５】
しかしながら、ちくわ等の既存の加工食品に加えて、従来にはない、魚肉のすり身の新しい活用方法が望まれている。さらに、魚肉のすり身は、色彩が黒い海苔よりも、色合いや、食した際の味が好ましいのではないかと着想した。そこで、本考案は、魚肉のすり身をスライスし、海苔状にして、海苔巻の海苔の代わりに、魚肉のすり身を用いた、新しい巻き寿司を提供することを目的とする。
【課題を解決するための手段】
【０００６】
上記課題を解決するために、本考案は、ロールされた穀物の表面にミンチされた魚肉を巻いた巻き寿司であることを特徴とする。さらに、ミンチされた魚肉は、重曹を含み、ローラで伸ばされた後に、１００℃から２００℃のいずれかの温度で１０秒から３０秒間程度、油で揚げられた巻き寿司であることを特徴とする。
【考案の効果】
【０００７】
本考案によれば、魚肉のすり身を用いた、従来にはない巻き寿司を提供することができる。
【図面の簡単な説明】
【０００８】
【図１】本考案の一実施形態に係る巻き寿司１を説明する図である。
【考案を実施するための形態】
【０００９】
本考案の実施形態に係る巻き寿司１の構成を図面に基づいて説明する。巻き寿司１は、魚肉のすり身２と、レタス等の具３と、肉魚等の具４と、米５とから構成される。巻き寿司１の形状は、竹などの巻き簀で巻くために、円筒ロール状であることが一般的であるが、形状が円筒ではなく、直方体、立方体であってもよい。
【００１０】
魚肉のすり身２は、あじ、エソ、ウルメイワシ、シイラ等を原料としたすり身である。これらの魚を混合して製造する。例えば、あじ３０％、エソ７０％で作成すると、魚肉のすり身２全体の色は、少し茶色っぽくなる。あじやウルメイワシを用いると、茶色味がかるが、エソであれば、オンレジ色になる。また、シイラであれば、白になる。これらの魚の混合割合を調整することで、魚肉のすり身２の色彩を変更できる。
【００１１】
レタス等の具３、肉魚等の具４は、任意の魚、肉等の具であってよい。米５は、ご飯であり、酢を含むものであってよい。
【００１２】
以降では、実施形態としてレタス巻に関して説明するが、これは一例として説明するにすぎず、巻き物の種類で本考案を限定するものではない。例えば、本考案が、かっぱ巻き、カリフォルニアロール、おしんこ巻き等の任意の巻き寿司に適用されても、本考案の目的の範囲で、本考案に含まれるものである。
【００１３】
次に、魚肉のすり身２の製造手順について説明する。
第１段階として、ミンチ状にした魚肉に、調味料である塩、砂糖、醤油、日本酒等を好みにより加え、重曹を加えて、長方形の型枠に入れる。この際に、ミンチにした魚肉を長方形に伸ばし、１センチ以下程度の厚みにしておく。サイズは、規定はないが、縦横１５センチ×２０センチ程度であるのが望ましい。
第２段階として、長方形の型枠に入れたミンチ状の魚肉をマイナス３０℃から７０℃（好適には６０度）程度で、少なくとも２，３時間冷凍する。
【００１４】
次に、第３段階として、冷凍庫の温度を１５℃にして、全体を解凍する。これは、長方形の型枠に入れた魚肉の表面のみを解凍させるのではなく、魚肉の内部まで均等に解凍させるために、冷凍庫の温度を変更する。
解凍された後に、第４段階として、スライサーで厚みを５ミリ程度にスライスし、ローラで３ミリ程度に伸ばす。ここで、予めスライサーの厚みを３ミリ程度にスライスしてもよい。この場合、ローラで伸ばした際の厚さは、適宜、調整する。
第５段階として、伸ばしたすり身の固まりを、金網にのせて揚げる。油は、１００℃から２００℃（好適には、１５０℃）で、１０秒から３０秒（好適には、２０秒程度）で揚げる。
第６段階として、油で揚げられた魚肉のすり身２を、竹等の巻き簀で、米５と具４，３と一緒に、巻くことで巻き寿司が完成する。
【００１５】
魚肉のすり身２には、重曹を入れていることで、魚肉のすり身２自体がふんわり、柔らかく仕上がることで、食感が向上されている。また、魚肉のすり身２の見た目もケーキのような雰囲気となり、食欲を向上させる効果がある。
【００１６】
なお、本考案は前記実施形態に限定されるものではなく、本考案の目的を達成できる範囲での変形、改良等は本考案に含まれるものである。
【符号の説明】
【００１７】
１    巻き寿司
２    魚肉のすり身
３    具
４    具
５    米
【図１】
0003191044.tif 000003
(57)【要約】      （修正有）【課題】捨て水を流すことなく、トイレ使用時音の発生を阻止できる消音装置を提供する。【解決手段】中央部にくびれ部３を有する上部容器２に密封された球形状体６を重力落下させ、下部容器内に設けたくぼみ形状部４に当てその反発音でトイレ使用時音を阻止する。容器に孔５を設け、音と同時に芳香も外部にだせるようにしてもよい。【選択図】図１
0003191140.tif 000002
【実用新案登録請求の範囲】
【請求項１】
請求項１の容器の形状は筒状もしくは角状が好ましいが特に限定はしない。
中央部はくびれ部を有し容器内部に密封された球形状体からなる物体を、前記容器から重力落下させる消音装置
【請求項２】
容器下部にくぼみ形状部もしくは容器内に落下物受け具を取り付け、球形状体が落下により上記形状部に当り反響音をだすことを特徴とする請求項１記載の消音装置
【請求項３】
本体容器に孔を設けて、音と芳香を外部にだすことを特徴とする請求項１、請求項２記載の消音装置
【請求項４】
球形状体は形状体を問わず芳香剤料あるいは消臭剤料であることを特徴とする請求項１、請求項２、請求項３記載の消音装置
【考案の詳細な説明】
【技術分野】
【０００１】本考案は、容器内の球形状体が上部内から下部内に落下させ下部容器内の落下物受け形状部に当り音をだし目的の消音、消臭が解決できる消音装置に関するものである。
【背景技術】
【０００２】従来は、トイレ使用時音の発生を阻止するため本器取り付けの消音機か捨て水を流すことで解決をしていた。
但し、取り付け消音機は今現在は全便器には付いていない。
【考案の概要】
【考案が解決しようとする課題】
【０００３】上記従来の取り付け消音機は全器種に付いていないため、捨て水を使うことで節水にも反していた。
本考案の目的は上記の解決をしようと消音容器の上下位置関係を、１８０度回転させ落下することで音をだす消音装置
【課題を解決するための手段】
【０００４】上記の目的を達成するために、請求項１記載の考案で中央部にくびれ部を有する筒状容器の内部に密封された球形状体を請求項１のくぼみ形状部に落とすことで音が発生するために設けている。
請求項３記載の考案では、請求項２の落下音量は孔を設けることにより音も大きく、芳香も外部にだせる。
請求項４記載の考案は、請求項２または請求項３の球形状体に芳香剤料をつけ香りと消臭の役目もはたす。
【考案の効果】
【０００５】本考案の消音装置は、節水、音消し、芳香を特徴として人の集まる会場の簡易トイレとか学校など自由に場所を選らばず、使用後は落下状態にして完了とする。
【図面の簡単な説明】
【０００６】
【図１】本体容器上部から中央部を通過し落下状態を示す側面図。
【図２】本体から見るくぼみ形状部を示した正面図である。
【図３】本体から孔をおもに示した全体の立体図である。
【考案を実施するための形態】
【０００７】前記の取付け消音機を移動可能な消音装置の本考案は、筒状容器本体１をもち、その中に密封された球形状体を上部容器から中央部のくびれを通過させ下部容器内のくぼみ形状部に落下することで音をだし容器２に孔を設け音と芳香を外部にだせることを実現した。
【実施例１】図１は本考案の消音装置１の実施例の側面図で筒状容器は透明プラスチック製で中央にはくびれ部３が形成され、このプラスチック製容器２の内部には一定量の球形状体６が密封され下部容器２に上記６を重力落下させる。【０００８】透明上部容器からカラー付き球形状体を落下させ下部容器内のくぼみ形状部に当り、その瞬間花火のような景観で遊び心も、そして実用的である。【０００９】上部容器から球形状体が落下により下部容器内のくぼみ形状部に当り、その反発音を孔からだし消音と芳香の効果がある。【００１０】筒状容器の中央部に設けたくびれ部は接続で形成されいるが、一体化にしてもよい。
【実施例２】
【００１１】図２は正面図であり、容器２の上部から球形状体６を落下させ、下部容器内中央部図２のくぼみ形状部４に当て反発音をだす。【００１２】図３は本体筒状容器１の立体図である。
容器２は外面美観を考慮して透明のものを用い、容器２の材質は反響音の高いプラスチック製もしくはポリエチレン製が好ましいが特に限定しない。
図３  強調する容器２の円周に小さな孔５設けてる。【００１３】消音装置の働きを説明する。
まず、プラスチック製容器２の下方部に溜った球形状体６を消音装置１を１８０度回転させることで上下を逆転させ、置くことによりくびれ部３を通して下容器２に落下させる。
この状態時落下物の球形状体６をくぼみ形状部４に当て、その反響音で発生させた音と芳香を容器２に孔５を設けて外部にだす。【００１４】孔５はくぼみ形状部４に当たり反響音を大きくだすためと球形状体６に芳香剤料をつけることで香りを外部にだせる。
【符号の説明】
【００１５】１  消音装置
２  プラスチック製容器
３  中央くびれ部
４  容器内くぼみ形状部
５  孔
６  球形状体
【図１】
0003191140.tif 000003
【図２】
0003191140.tif 000004
【図３】
0003191140.tif 000005
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
中央部はくびれ部を有し容器内部に密封された球形状体からなる物体を、前記容器の上下を逆転させることで前記容器内部で重力落下させることを特徴とする消音装置。
【請求項２】
容器下部にくぼみ形状部もしくは容器内に落下物受け具を取り付け、前記球形状体が落下により前記くぼみ形状部もしくは前記落下物受け具に当り反響音をだすことを特徴とする請求項１に記載の消音装置。
【請求項３】
本体容器に孔を設けて、前記球形状体に芳香をつけることにより、前記球形状体に音と芳香を外部にだすことを特徴とする請求項１、又は請求項２に記載の消音装置。
【請求項４】
前記球形状体は芳香剤料あるいは消臭剤料であることを特徴とする請求項１〜３のいずれか一項に記載の消音装置。
(57)【要約】      （修正有）【課題】フタを複数持つ容器において、開蓋した容器のフタを、閉蓋した他方のフタに接続できる様にして、フタの紛失、容器内容物による周囲の汚損、周囲の埃や砂のフタへの付着の可能性を減らした接続部付フタを提供する。【解決手段】容器のフタの片方には雄ネジを切った凸型接続部１を設け、他方のフタには雌ネジを切った凹型接続部２を設け、一方のフタを開蓋した時に、閉蓋した他方のフタに、ネジ同士の螺合によって接続可能にする。または、弾性突起を設けた凸型接続部と、弾性凹みを設けた凹型接続部を噛み合わせ、一方のフタを開蓋した時に、閉蓋した他方のフタに、接続可能にする事で、フタの紛失、容器内容物による周囲の汚損、周囲の埃や砂のフタへの付着の可能性を減らすことに役立つ。【選択図】図１
0003191138.tif 000002
【実用新案登録請求の範囲】
【請求項１】
複数のフタがある容器の一方のフタには、雄ネジを切った凸型接続部を設け、他方のフタには、雌ネジを切った凹型接続部を設け、開蓋した一方のフタを、閉蓋した他方のフタに、ネジの螺合によって接続出来る様にした接続部付フタ。
この時、フタ同士を接続するネジは、フタ同士の脱着の為の回転が、フタと容器の脱着に干渉しない様に、雄ネジ寸法を小さ目に形成して緩い接続にとどめる。
【請求項２】
複数のフタがある容器の一方のフタには凸型接続部を設け、他方のフタには凹型接続部を設け、開蓋した一方のフタを、閉蓋した他方のフタに、弾性部品の噛み合わせによって接続出来る様にした接続部付フタ。
【考案の詳細な説明】
【技術分野】
【０００１】  本考案は複数のフタがある容器の開蓋したフタを、閉蓋した方のフタに接続できる様に接続部を設けたフタに関するものである。
【背景技術】
【０００２】  様々な容器を開蓋した作業時において、フタの置き場所が定まらず、地面などに仮置きしていた。
【考案の概要】
【考案が解決しようとする課題】
【０００３】  容器を開蓋して作業する時に、フタを地面などに仮置きすると、フタを紛失したり、フタに付着した液体や固体が周囲を汚損したり、地面などに仮置きしたフタに付着した埃や砂が、フタを介して容器中身の液体や固体に混ざる可能性が増す。
従って、フタ同士を接続できる様にし、開蓋したフタの在処を定めて、前述の欠点を解決しようとするものである。
【課題を解決するための手段】
【０００４】  本考案は、フタに凸型接続部と凹型接続部を設けて、互いを接続できる様にし、開蓋した一方のフタを、閉蓋した他方のフタに接続する事で問題点を解決している。
【考案の効果】
【０００５】  上述の様に、本考案の接続部付フタは、開蓋したフタを、閉蓋した他方のフタに接続して、フタの紛失を防ぎ、液体や固体が付着したフタを、地面などに仮置きしない事によって、周囲を液体や固体が汚損する可能性が減らせ、フタに埃や砂が付着する可能性も減らせる。
【図面の簡単な説明】
【０００６】
【図１】本考案のネジによる接続部付フタの斜視図と断面図である。
【図２】本考案の弾性突起による接続部付フタの斜視図と断面図である。
【図３】本考案の接続部付フタを、容器に取り付けた実施例を示す図である。
【考案を実施するための最良の形態】
【０００７】  一方のフタには凸型接続部を設け、他方のフタには凹型接続部を設ける。
開蓋したフタは、閉蓋した他方のフタに、ネジ又は弾性部品によって、接続出来る様になる。
【実施例】
【０００８】  以下、添付図面に従い実施例を説明する。任意の材質の容器７に、フタを取り付ける為のネジ５で固定された、耐久性のあるプラスチックス等、適宜素材で形成した複数のフタ６において、１は雄ネジを切った凸型接続部、２は雌ネジを切った凹型接続部で、一方のフタを開蓋した時に、ネジ同士の螺合で他方のフタに接続できる。
ネジによる接続時には、フタ同士の脱着の為の回転が、フタと容器の脱着に干渉しない程度に、ネジ寸法を短く形成して緩い接続にとどめる。
又は雄ネジ径を雌ネジ径より小さ目に形成する事で、緩い接続にとどめる。【０００９】  容器のフタに、互いに噛みあう弾性突起を設けた凸型接続部３と、弾性凹みを設けた凹型接続部４を設け、一方のフタを開蓋した時に、この弾性部同士を噛み合わせる事で、他方のフタに接続できる。
【符号の説明】
【００１０】１  雄ネジを切った凸型接続部
２  雌ネジを切った凹型接続部
３  弾性突起を設けた凸型接続部
４  弾性凹みを設けた凹型接続部
５  容器にフタを脱着する為のネジ
６  容器の複数のフタ
７  容器
【図１】
0003191138.tif 000003
【図２】
0003191138.tif 000004
【図３】
0003191138.tif 000005
【手続補正書】
【提出日】平成26年3月13日(2014.3.13)
【手続補正１】
【補正対象書類名】実用新案登録請求の範囲
【補正対象項目名】全文
【補正方法】変更
【補正の内容】
【実用新案登録請求の範囲】
【請求項１】
複数のフタがある容器の一方のフタには、雄ネジを切った凸型接続部を設け、他方のフタには、雌ネジを切った凹型接続部を設け、雄ネジと雌ネジとの螺合によって他方のフタが一方のフタと連れ回りしないように雄ネジ寸法を雌ネジ寸法よりも小さ目に形成して、開蓋した一方のフタを閉蓋した他方のフタに緩く接続出来る様にした接続部付フタ。
【請求項２】
複数のフタがある容器の一方のフタには弾性突起を設けた凸型接続部を設け、他方のフタには弾性凹みを設けた凹型接続部を設け、開蓋した一方のフタを、閉蓋した他方のフタに、前記弾性突起と前記弾性凹みとの噛み合わせによって接続できる様にした接続部付フタ。
(57)【要約】      （修正有）【課題】袋本体のみでなく、それに装填される紐も袋が成型・加工されると同時に装填・裁断・熔着され、必要に応じ連続量産もできる巾着袋製造用フィルムの構造を提供する。【解決手段】袋本体１となるフィルムの両端のそれぞれに紐３を配置し、両端のそれぞれにおいて紐を包み折返し、紐に沿って熔接して紐通しを形成し、紐通しが重なるようにフィルムを二つ折りし、紐に対して垂直にフィルムを複線熔接し、その間隙へ破線状切れ目を施したことを特徴とする。【選択図】図１
0003191132.tif 000002
【実用新案登録請求の範囲】
【請求項１】
巾着袋を成型・加工する際、口を閉じ、且つ袋を吊り下げる為の紐も  袋自体を成すフィルムと共に配置・構成し、連続加工・処理し  量産も可能な製造方法。
【考案の詳細な説明】
【技術分野】
【０００１】  本考案は、袋本体のみでなく  それに装填される紐も  袋が成型・加工されると同時に紐も装填・裁断・熔着され、必要に応じ連続量産もできる製法である。
【背景技術】
【０００２】  従来巾着袋は  袋として出来上がった  開口部の二重構造部分に紐を通して後  結んで完成した物であるが、人手・手間を必要として、量産には不向きな物であった。
【考案の開示】
【考案が解決しようとする課題】
【０００３】  ロール成型とヒートシールを施し、途中に人手・手間を掛けずに完成する。
【課題を解決するための手段】
【０００４】  袋本体と成るプラスチックフィルムに袋幅毎に半円の切欠きを施す。【０００５】  袋本体と成るプラスチックフィルムと紐になるプラスチック帯を所定の位置に配置する。【０００６】  袋本体に成るフィルムの両端を  紐を包み折返し、紐に沿って縦に熔接する。【０００７】  フィルムの切欠き部分で紐とフィルムに複線熔接し、その間隙へ破線状切れ目を施す。【０００８】破線状切れ目毎に切り離し  積層してもよし、そのままロール状で扱うもよいだろう。
【考案の効果】
【０００９】  本考案の巾着袋は、特に人件費削減と量産が可能で  低原価な製造方法である
【考案を実施するための最良の形態】
【００１０】  図１のように  巾着袋の紐通し部分を両端とし、夫々に牽引用紐を装填する。
【実施例１】
【００１１】  図２のように  巾着袋本体を二つ折りし  紐通しの部分が重なる様にする。【００１２】  図３のように  紐通しから出た紐が裸な部分と袋本体の切欠きの残り部分を複線熔接し、その間隙に破線状切れ目を施す。
【産業上の利用可能性】
【００１３】  一般消費者であれ産業であれ  ごみ袋などに巾着袋は重宝であるが、  それを更に、低原価で  多量生産可能な構造は  大きな需要が想定される。
【図面の簡単な説明】
【００１４】
【図１】従来からの  巾着袋の紐通しを  自動的に機械的に施したものである。
【図２】左右端の紐部分が重なる様  袋部分が二つ折りになる状態である。
【図３】破線状切れ目で切り離される前の状態である。。
【符号の説明】
【００１５】１巾着袋本体
２縦溶接線
３紐
４横溶接線
５破線状切れ目
【図１】
0003191132.tif 000003
【図２】
0003191132.tif 000004
【図３】
0003191132.tif 000005
【手続補正書】
【提出日】平成25年11月14日(2013.11.14)
【手続補正１】
【補正対象書類名】実用新案登録請求の範囲
【補正対象項目名】全文
【補正方法】変更
【補正の内容】
【実用新案登録請求の範囲】
【請求項１】
巾着袋を成型・加工する際、口を閉じ、且つ袋を吊り下げる為の紐も  袋自体を成すフィルムと共に配置・構成し、連続加工・処理し  量産も可能な構造。
【手続補正２】
【補正対象書類名】明細書
【補正対象項目名】０００１
【補正方法】変更
【補正の内容】
【０００１】本考案は、袋本体のみでなく  それに装填される紐も  袋が成型・加工されると同時に紐も装填・裁断・溶着され、必要に応じ連続量産もできる構造である。
【手続補正３】
【補正対象書類名】明細書
【補正対象項目名】０００９
【補正方法】変更
【補正の内容】
【０００９】本考案の巾着袋は、特に人件費削減と量産が可能で  低原価な構造である。
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
巾着袋を成型・加工する際、口を閉じ、且つ袋を吊り下げる為の紐も  袋自体を成すフィルムと共に配置・構成し、連続加工・処理した図３の破線状切れ目で切離した結果目的の  口紐一体成型巾着袋を得る  量産も可能な構造。
【手続補正書】
【提出日】平成26年3月10日(2014.3.10)
【手続補正１】
【補正対象書類名】実用新案登録請求の範囲
【補正対象項目名】全文
【補正方法】変更
【補正の内容】
【実用新案登録請求の範囲】
【請求項１】
袋本体となるフィルムの両端のそれぞれに紐を配置し、前記両端のそれぞれにおいて  紐を包み折返し、紐に沿って熔接して紐通しを形成し、前記紐通しが重なるように  前記フィルムを二つ折りし、紐に対して垂直に前記フィルムを複線熔接し、その間隙へ破線状切れ目を施したことを特徴とする、巾着袋製造用フィルムの構造。
(57)【要約】      （修正有）【課題】使用頻度の高いカギをお洒落に身に付け易くするブレスレットを提供する。【解決手段】ブレスレット１に金具２を取り付け、その金具にカギ３を付ける。使用頻度が高いときは鞄などに入れることなくすぐに使用できる。またお洒落に身に付けることができる。【選択図】図１
0003191135.tif 000002
【実用新案登録請求の範囲】
【請求項１】
ブレスレットにカギを付けてオシャレにする。
【請求項２】
手首、腕などに身に付ける装飾品にカギを付けて使用し易くする。
【考案の詳細な説明】
【技術分野】
【０００１】  本考案はブレスレットにカギを付け身に付ける。
【背景技術】
【０００２】  従来の自転車の鍵に付けているキーホルダー。ブレスレットはアクセサリーとして使われている
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  使用頻度の高いカギをお洒落に身に付け使い易くする
【課題を解決するための手段】
【０００６】  手首、腕などに付けるブレスレットにカギを取り付ける
【考案の効果】
【０００７】  すぐに使え、ポケットやカバンにしまう事なくすぐに使用できる。ブレスレットに取り付ければ見た目がお洒落になる。
【図面の簡単な説明】
【０００８】
【図１】  本考案の実施例示す正面図である。
【考案を実施するための形態】
【０００９】  ブレスレットにカギを取り付ける金具が必要。
【実施例】
【００１０】  以下、添付図面に従って実施例を説明する。１ブレスレットに２カギの取り付け取り外し可能な金具を取り付ける。２金具に３カギを取り付けてカギ付ブレスレットとなる。【００１１】  ２金具に３カギを付ける事により付けたいカギに取り付ける事ができる。
【符号の説明】
【００１２】  １  ブレスレット
２  カギの取り付け、取り外し可能な金具
３  カギ
【図１】
0003191135.tif 000003
【手続補正書】
【提出日】平成26年2月13日(2014.2.13)
【手続補正１】
【補正対象書類名】実用新案登録請求の範囲
【補正対象項目名】全文
【補正方法】変更
【補正の内容】
【実用新案登録請求の範囲】
【請求項１】
ブレスレットと、前記ブレスレットに取り付けた金具と、前期金具に取り付けたカギと、からなることを特徴とするブレスレット。
【請求項２】
手首、腕などに身に付ける装飾品と、前記装飾品に取り付けた金具と、前記金具に取り付けたカギと、からなることを特徴とする装飾品。
(57)【要約】【課題】優れた美容効果が得られる美顔ローラを提供する。【解決手段】美顔ローラ１０１は、柄１の一端に、マグネシウム、マグネシウム合金、及び、マグネシウム合金以外のマグネシウム化合物よりなる群から選ばれるマグネシウム系物質を含有する回転ローラ４を備える。【選択図】図１
0003191151.tif 000002
【実用新案登録請求の範囲】
【請求項１】
柄の一端に、マグネシウム、マグネシウム合金、及び、マグネシウム合金以外のマグネシウム化合物よりなる群から選ばれるマグネシウム系物質を含有する回転ローラを備えることを特徴とする美顔ローラ。
【請求項２】
前記マグネシウム系物質は、水と反応して水素を発生する物質である請求項１に記載の美顔ローラ。
【考案の詳細な説明】
【技術分野】
【０００１】
本考案は美顔ローラに関する。
【背景技術】
【０００２】
美顔ローラはゴム製や金属製の回転ローラ部を備えており、顔面、あご回り、首筋、二の腕などの肌に回転ローラを当て、肌の上で転がすように移動させることによって美容マッサージを行う。
【考案の概要】
【考案が解決しようとする課題】
【０００３】
本考案は、優れた美容効果が得られる美顔ローラを提供することを目的とする。
【課題を解決するための手段】
【０００４】
本考案は、
（１）柄の一端に、マグネシウム、マグネシウム合金、及び、マグネシウム合金以外のマグネシウム化合物よりなる群から選ばれるマグネシウム系物質を含有する回転ローラを備えることを特徴とする美顔ローラ、及び、
（２）前記マグネシウム系物質は、水と反応して水素を発生する物質である前記第１項に記載の美顔ローラ、である。
【考案の効果】
【０００５】
本考案により提供される美顔ローラを用いて肌をマッサージすると、回転ローラの回転によるマッサージ効果と、回転ローラに含まれるマグネシウム系物質による美肌効果とが同時に発揮されるので、優れた美容効果が得られる。
【図面の簡単な説明】
【０００６】
【図１】本考案の美顔ローラの一例（美顔ローラ１０１）の正面斜視図である。
【図２】本考案の美顔ローラの一例（美顔ローラ１０１）の背面図である。
【考案を実施するための形態】
【０００７】
図１及び図２に、本考案に属する美顔ローラ１０１を示す。美顔ローラ１０１は、柄１の一端が二股に分かれており、左右一対のローラ部２（右側ローラ部２Ｒ、左側ローラ部２Ｌ）が軸回転可能に取り付けられている。各ローラ部２は、軸受け孔を有するローラ支持部３の略円筒状側面に、リング乃至タイヤ形状の回転ローラ４が２つずつ、軸方向に間隔を空け並列させて、嵌め込み固定されたものであり、柄１の先端の軸部にローラ支持部の軸受け孔が挿入され、軸回転可能に支持される。
回転ローラ４は、例えばゴムローラ、金属ローラなどであり、マグネシウム、マグネシウム合金、マグネシウム合金以外のマグネシウム化合物よりなる群から選ばれる物質（「マグネシウム系物質」と総称する）を含有する材料で表面の少なくとも一部が形成されている。この回転ローラがゴムローラの場合には、ゴム原料にマグネシウム系物質の粉末を混合し、成形すればよい。また、金属ローラの場合には、金属ローラ全体がマグネシウム合金などマグネシウム系物質からなるものであってもよい。
【０００８】
上記美顔ローラ１０１の回転ローラ４を顔面などの肌に当て、転がすように移動させてマッサージすると、回転ローラの回転によるマッサージ効果と、回転ローラに含まれるマグネシウム系物質による美肌効果とが同時に発揮されるので、優れた美容効果が得られる。
マグネシウム系物質による美肌効果としては、美白、肌をきめ細かくするなどの効果がある。美顔ローラを風呂などで用いるときに回転ローラに含まれるマグネシウム系物質が水と反応して水素を発生し、その水素が肌に作用することがマグネシウム系物質による美肌効果が発揮される一要因になっていると推測される。
【０００９】
なお美顔ローラの形状や回転ローラの数は図示した例のものに限定されるわけではない。
図示した例では、柄の二股となった先端のそれぞれにローラ部２を一対となるように設けているが、柄の一端に単純に一つだけローラ部を設けても良い。一つのローラ部２に２つの回転ローラ４を並列に固定するのではなく、一つのローラ部に、幅広の回転ローラを一つだけ固定してもよい。回転ローラは柄の一端側寄りに設ければよく、柄の最先端に設ける必要はない。
また、図示した例ではリング状の回転ローラが柄の先端を中心にして軸回転するが、柄の先端に球状の回転ローラをベアリングを介して取付けて、軸回り方向に規制されずに自由な方向に回転するようにしてもよい。
【符号の説明】
【００１０】
１０１：美顔ローラ
１：柄
２（２Ｒ、２Ｌ）：ローラ部
３：ローラ支持部
４：回転ローラ
【図１】
0003191151.tif 000003
【図２】
0003191151.tif 000004
(57)【要約】      （修正有）【課題】旅行や出先などに簡単に携帯でき、日除けが必要な窓のある場所で、簡単に日除けが形成できる日よけシートを提供とする。【解決手段】任意形状の日よけシート本体２と、携帯に便利な巻き取り筒３からなり、巻き取り筒に、日よけシートを巻き取れるように、日よけシート本体の一端を巻き取り筒に接続部４で連接してなることを特徴とする。【選択図】図１
0003191169.tif 000002
【実用新案登録請求の範囲】
【請求項１】
任意形状の日よけシート本体と、携帯に便利な巻き取り筒からなり、前記巻き取り筒に、前記日よけシート本体を巻き取れるように、前記日よけシート本体の一端を前記巻き取り筒に接続部で連接してなることを特徴とする日よけシート。
【請求項２】
前記日よけシートの巻き取り筒の内側には、側部よりシリコンクロスなど静電気を発生させるマイクロクロス又は静電気発生部材などを挿入する挿入部を設けてなることを特徴とする前記請求項１記載の日よけシート。
【考案の詳細な説明】
【技術分野】
【０００１】  本発明は、列車や室内、車などの窓部における場所などで、日除けが必要なときに日除けシートを貼り付ける携帯型の日よけシートに関するものである。
【背景技術】
【０００２】  窓部に日よけのためシートを利用するシートとしては、従来から各種提案されている。例えば、実開平６−７６５９５号公報で開示されているものが存在する。【０００３】  この考案は、紫外線（ＵＶ）カットフィルムの全面に透視可能な可撓性補強材３を貼り合せた透視スクリーン１を、室内枠を仕切る窓ガラス５の室内側に、巻き上げ，引き出しなどによって開閉可能に設置したものが開示されている。【０００４】  しかし、この考案は、窓に備え付けのものであり、スクリーン枠の中で、巻き上げたり、引き出したりできるようになっており、利用者が携帯できるようにしたものではない。
【先行技術文献】
【特許文献】
【０００５】
【特許文献１】実開平６−７６５９５号公報
【考案の概要】
【考案が解決しようとした課題】
【０００６】  このように特許文献１に記載される技術は、設置タイプであり、携帯に際しては、何ら考慮されておらず、必要な時にどこにでも設置できない難点を有している。本発明は、旅行や出先で日除けが必要になった時に簡単に窓部に取り付けて日除けが確保できる日よけシートを提供することを目的としている。
【課題を解決するための手段】
【０００７】  上記目的を達成するために請求項１に係る考案による日よけシートは、任意形状の日よけシート本体と、携帯に便利な巻き取り筒からなり、前記巻き取り筒に、前記日よけシートを巻き取れるように、前記日よけシート本体の一端を前記巻き取り筒に接続部で連接してなるものであって、他端を開放してなることを特徴とする日よけシートとした。
【０００８】  また、前記日よけシートの前記巻き取り筒には、シリコンクロスなど静電気を発生させる静電気発生補助部材を収納する静電気発生部材収納部を設けてなることを特徴とする前記請求項１記載の日よけシート。
【図面の簡単な説明】
【０００９】
【図１】本考案の日よけシートの斜視説明図。
【図２】本考案の日よけシートを使用する列車などの窓の説明図。
【図３】本考案の日よけシートを使用する際の説明図。
【図４】本考案で使用するマイクロクロスの説明図。
【図５】本考案の他の実施例を示す断面説明図。
【考案を実施するための形態】
【００１０】  図１に基づいて本考案の日よけシート１を説明する。任意形状の日よけシート本体２と、携帯に便利な巻き取り筒３からなり、前記巻き取り筒３に、前記日よけシート本体２を巻き取れるように、前記日よけシート本体２の一端を前記巻き取り筒３に接続部４で連接してなるものであって、他端を開放してなることを特徴とする日よけシート１とした。本実施例ではシート本体２のサイズは幅が３０ｃｍ程度、巻き取り方向が４０ｃｍ程度とした。巻き取り筒３の径は１ｃｍ程度とした。
【００１１】  本考案の日よけシート１は、シート本体２に静電気を帯電させることで、例えば図２に示した車両など、窓１０に対して、下部にテーブル１２等が設けられたものに使用することが適しており、図３に示すように、巻き取り筒３をテーブル１２に置いて、シート本体２の解放された端部を上にしてガラス１１面に押し付けることで静電気などで簡単に吸い付くようになっている。
【００１２】  特に、図４に示されたマイクロクロス２５でシート本体２の表面を擦ると静電気が発生して、より強固に貼り付けられる。このマイクロクロス２５を日よけシート１と別に携帯する代わりに、巻き取り筒３を多少大きめ（２〜３ｃｍ程度）に設定することにより、この巻き取り筒３内に収納するようにしてもよい。
【００１３】  さらに図５に示すように、巻き取り筒３内に、マイクロクロスを収納する方法として、多少重量のある金属等の芯２２を覆ったマイクロクロス２３を収納してもよい。あるいは巻き取り筒３と擦れることで静電気が発生する摩擦部材を収納し、巻き取り筒３の両端に栓をして、図５の矢印方向に振ることで、巻き取り筒３内のマイクロクロス２３や摩擦部材（図示せず）が、巻き取り筒３内で摩擦を起こし静電気が発生するようにして、巻き取り筒３に巻きつけられているシート本体２に静電気が帯電するようにしても良い。
【００１４】  このように本考案によれば、巻き取り筒３に巻きついて収納されているシート本体２を引き出し、一端が解放されたシート本体２で車両などの窓１１に広げるだけで簡単に貼り付き、瞬時に直射日光がＵＶシートにより遮断される日陰が確保できる。
【００１５】  以上のように構成される日よけシートは、サイズに限定されるものではなく、また、一端が解放されたシート本体２の先端に一時接着させる不乾燥性粘着剤を付加したものであってもよく、任意形状の日よけシート本体と、携帯に便利な巻き取り筒で構成されていれば、構成が限定されるものではない。
【符号の説明】
【００１６】  １、２１・・・日よけシート
２、２２・・・日よけシート本体
３、２３・・・巻き取り筒
４・・・接続部
１０・・・窓
１１・・・ガラス
１２・・・テーブル
２５、２７・・・マイクロクロス
２６・・・芯
【図１】
0003191169.tif 000003
【図２】
0003191169.tif 000004
【図３】
0003191169.tif 000005
【図４】
0003191169.tif 000006
【図５】
0003191169.tif 000007
(57)【要約】      （修正有）【課題】台座や金具を使用しないで円筒管同士を直接十文字に固定する空中線を提供する。【解決手段】金属円筒管支柱又は腕木２に、金属円筒管素子１を貫通させる穴５と、その穴と直角に固定用ビス穴と止め螺子の頭部が通る穴６を設け、一方中央に固定用螺子穴を設けた空中線素子となる円筒管素子１を挿入して螺子３とナット４で固定し、台座を使わず円筒管同士を十文字に結合する。【選択図】図２
0003191167.tif 000002
【実用新案登録請求の範囲】
【請求項１】
支柱又は腕木となる任意長の金属円筒管の任意の箇所に、空中線素子となる金属円筒管を貫通させる孔と、その孔と直交する固定用螺子孔と固定用螺子の頭部又はナットが通る孔を設け、一方中央に固定用螺子が通る孔を設けた任意長の空中線素子となる金属円筒管を、該支柱又は腕木となる金属円筒管の孔に挿入して螺子を通し、支柱又は腕木となる金属円筒管と空中線素子となる金属円筒管を螺子で固定してなる空中線。
【請求項２】
請求項１の空中線は、腕木に複数の金属円筒管空中線素子を配した多素子八木空中線
【請求項３】
請求項１の空中線は、支柱に複数の金属円筒管ラジアル素子を配したグラウンドプレーン型空中線
【考案の詳細な説明】
【技術分野】
【０００１】本考案は、空中線の構造に関するものである。
【背景技術】
【０００２】図１は従来の空中線の構造である。図２は本考案の空中線の構造である。
図１に於いて、１は空中線素子となる金属円筒管で通常ＶＨＦ帯及びＵＨＦ帯の空中線の場合は一般にアルミニューム製円筒管が使用されている、２は金属円筒管支柱又は腕木、３は固定用の螺子、４は固定用ナットである、５は支柱又は腕木となる金属円筒管２と素子となる金属円筒管１を十文字に固定するための台座で、一般に成型品、あるいは金属加工品を使用している、６は空中線素子を補強する押え金具である。この構造は高価な金型を使用して台座を製作しなければならない事と、空中線の性能に直接関係のない部品を増やし、いたずらに製造コストをアップさせるという言う問題があった。
【考案の概要】
【考案が解決しようとする課題】
【０００３】このため、台座を使用しないで支柱又は腕木となる金属円筒管と素子となる金属円筒管を十文字に固定する簡単な方法の考案が課題となっていた。
【課題を解決するための手段】
【０００４】図２において、支柱又は腕木となる金属円筒管２に、空中線素子となる金属円筒管１を貫通させる孔５と、その孔と直角に固定用螺子３の通る孔と固定用螺子の頭部が通る孔６を設け、一方中央に固定用螺子孔を設けた空中線素子となる金属円筒管１を挿入して、固定用螺子３とナット４で固定し、台座を使用しないで円筒同士を直角に固定する空中線を提供し前記課題を解決するものである。
【考案の効果】
【０００５】以上のように、本考案は素子１と支柱又は腕木２を、台座を使用しないで直接固定用ネジ一本で結合した簡易な構造になっている、従って台座や押さえ金具を使用しないので大幅なコストダウンが可能となり安価な空中線を提供することができる。
【図面の簡単な説明】
【図１】従来の空中線の形態を示す図
【図２】本考案の実施形態を示す図
【考案を実施するための形態】
【０００６】図２は、本考案の実施形態である。
１は空中線素子である。
２は支柱又は腕木である。
【実施例】
【０００７】以下、添付図２に従って一実施例を説明する。
１は、空中線素子となる金属円筒管で、中心部分に固定用螺子孔を設けた大凡２分の１波長の長さのアルミパイプである、通常は八木アンテナの導波器・輻射器・反射器及びグラウンドプレーン型空中線のラジアル等として用いられる。【０００８】２は、支柱又は腕木となる任意長の金属円筒管で任意の箇所に空中線素子となる金属円筒管１を貫通させる孔５と、その孔５と直角に固定用螺子孔と固定用螺子の頭部が通る孔６を設けた円筒管である。【０００９】空中線素子となる金属円筒管１を、支柱又は腕木となる金属円筒管２の孔５に挿入し、空中線素子となる金属円筒管１の固定用螺子孔と、空中線支柱又は腕木２の固定用螺子孔に勘合させ、適合する螺子及びナットで固定する。
【符号の説明】
【００１０】図１
１．空中線素子
２．支柱又は腕木
３．台座
４．押え金具
５．固定用螺子
６．螺子用ナット【００１１】図２
１．空中線素子
２．支柱又は腕木
３．固定用螺子
４．螺子用ナット
５．空中線素子挿入孔
６．止め螺子頭部の通過用孔
【図１】
0003191167.tif 000003
【図２】
0003191167.tif 000004